(57)【特許請求の範囲】
【請求項１】
枠と、枠内に摺動可能に設けた障子と、障子の召し合せ框の端部に取付けた気密部材とを備え、横框はタイト材ホルダーを有し、タイト材ホルダーに枠のレールに当接するタイト材を保持してあり、気密部材は、横框の内部に位置する縦壁と、横框の外周側に位置する横壁とを有し、タイト材のヒレ片を縦壁と横壁との隙間に差し入れ、タイト材の端部を横壁の内周側に潜り込ませてあることを特徴とするサッシ。
【発明の詳細な説明】
【技術分野】
【０００１】
本発明は、枠と、枠内に摺動可能に設けた障子とを備えるサッシに関する。
【背景技術】
【０００２】
引違いサッシの障子は、図１４に示すように、召し合せ框９０の端部に樹脂製の気密部材９１が取付けてあり、上框９２と下框のレール呑み込み溝９３の開口縁部にタイト材ホルダー９４を設け、タイト材ホルダー９４に上下枠のレールに当接するタイト材９５を取付けてあり、気密部材９１とタイト材９５により気密性や水密性を確保している。高い気密性を確保する上で、タイト材９５の端部が気密部材９１にぴったり当接していることが望ましいが、タイト材９５の取付け作業時などにタイト材９５の端部位置がずれて気密部材９１との間に隙間９６ができ、気密性が低下することがあった。
【発明の概要】
【発明が解決しようとする課題】
【０００３】
本発明は以上に述べた実情に鑑み、召し合せ框の端部に取付けた気密部材と横框のタイト材との間に隙間が生じることがなく、気密性や水密性等に優れたサッシの提供を目的とする。
【課題を解決するための手段】
【０００４】
上記の課題を達成するために請求項１記載の発明によるサッシは、枠と、枠内に摺動可能に設けた障子と、障子の召し合せ框の端部に取付けた気密部材とを備え、横框はタイト材ホルダーを有し、タイト材ホルダーに枠のレールに当接するタイト材を保持してあり、気密部材は、横框の内部に位置する縦壁と、横框の外周側に位置する横壁とを有し、タイト材のヒレ片を縦壁と横壁との隙間に差し入れ、タイト材の端部を横壁の内周側に潜り込ませてあることを特徴とする。
【発明の効果】
【０００５】
請求項１記載の発明によるサッシは、召し合せ框の端部に取付けた気密部材に、横框の内部に位置する縦壁と、横框の外周側に位置する横壁とを有し、タイト材のヒレ片を縦壁と横壁との隙間に差し入れ、タイト材の端部を横壁の内周側に潜り込ませたことで、タイト材の端部と気密部材との間に隙間が生ずることがないので、気密性や水密性を向上できる。
【図面の簡単な説明】
【０００６】
【図１】図３のＡ−Ａ断面図である。
【図２】図３のＢ−Ｂ断面図である。
【図３】（ａ）は外障子の召し合せ框側の上側のコーナー部の平面図であり、（ｂ）はその室内側正面図である。
【図４】外障子の召し合せ框上端部に取付けられる気密部材の斜視図である。
【図５】（ａ）は外障子の召し合せ框側の下側のコーナー部の室内側正面図であり、（ｂ）はその底面図である。
【図６】図５のＣ−Ｃ断面図である。
【図７】図５のＤ−Ｄ断面図である。
【図８】外障子の召し合せ框下端部に取付けられる気密部材の斜視図である。
【図９】本発明のサッシの一実施形態を示す室外側正面図である。
【図１０】同サッシの縦断面図である。
【図１１】同サッシの横断面図である。
【図１２】框がアルミ製の障子に取付けられる気密部材の例を示す図であって、（ａ）は側面図、（ｂ）は平面図、（ｃ）はＥ−Ｅ断面図である。
【図１３】框がアルミ製の障子に取付けられる気密部材の他の例を示す図であって、（ａ）は側面図、（ｂ）は平面図、（ｃ）はＦ−Ｆ断面図である。
【図１４】召し合せ框上端部に取付けられる気密部材の従来例を示す図であって、（ａ）は平面図、（ｂ）は正面図、（ｃ）は側面図である。
【発明を実施するための形態】
【０００７】
以下、本発明の実施の形態を図面に基づいて説明する。図９〜１１は、本発明のサッシの一実施形態であって、樹脂製の引違いサッシに適用した例を示している。本サッシは、躯体開口部１５に取付けられる枠１と、上枠１６と下枠１７間に摺動可能に収めた外障子２及び内障子３を備えている。
【０００８】
枠１は、図９に示すように、合成樹脂の押出材よりなる上枠１６と下枠１７と左右の竪枠１８，１８とを、端部を斜め４５°に切断して突き合わせて溶着し、矩形に枠組みされている。枠１の内周側には、図１０，１１に示すように、室内外方向に間隔をあけて突出部１９ａ，１９ｂが四周連続して形成されており、上枠１６と下枠１７の突出部１９ａ，１９ｂは外障子２と内障子３を案内するレール１０ａ，１０ｂ，１１ａ，１１ｂとなり、竪枠１８の突出部１９ａ，１９ｂは、障子２，３を閉めたときに障子２，３の戸先框２０ａ，２０ｂと係合する係合部２１ａ，２１ｂとなっている。各突出部１９ａ，１９ｂは、見込み寸法が約１０ｍｍの矩形の中空状となっている。下枠のレール１１ａ，１１ｂには、図１０に示すように、上端部に障子２，３の戸車２２を受けるアルミ製のレール２３が係合取付けされている。
上枠１６には、図９，１０に示すように、レール１０ａ，１０ｂ間の内外障子２，３の召し合せ部の上方の位置に、風止め板２４が取り付けてある。風止め板２４は、上枠１６の内周側面に当接して保持される基板２５と、基板２５より垂下するヒレ片２６，２６，…を左右方向に間隔をあけて複数有している。下枠１７には、レール１１ａ，１１ｂ間の内外障子２，３の召し合せ部の下方の位置に、止水部材２７が取り付けてある。止水部材２７は、下枠１７の内周側面から浮かせて保持される基板２８と、基板２８より突出する複数のヒレ片２９ａ，２９ｂを有している。ヒレ片は、図５（ｂ）に示すように、室内外方向のヒレ片２９ａと左右方向のヒレ片２９ｂとがある。
【０００９】
外障子２と内障子３は、図９〜１１に示すように、合成樹脂の押出材よりなる上框６ａ，６ｂと下框７ａ，７ｂと戸先框２０ａ，２０ｂと召し合せ框４ａ，４ｂとを、端部を斜め４５°に切断して突き合わせて溶着することで矩形に框組みし、その内側に複層ガラス３０を納め、室外側に押縁３１を取付けて複層ガラス３０を保持してある。上框６ａ，６ｂと下框７ａ，７ｂと戸先框２０ａ，２０ｂは、断面形状が同一なものであり、外周側に枠１に向かって開放した溝部３２を有し、溝部３２の開放端側の室外側と室内側とにタイト材ホルダー８が設けてある。障子２，３は、矩形に框組みした後に上框６ａ，６ｂと戸先框２０ａ，２０ｂと下框７ａ，７ｂの室外側と室内側のタイト材ホルダー８にゴム質のタイト材９が連続して取付けられ、タイト材９のヒレ片９ａが上枠１６と下枠１７のレール１０ａ，１０ｂ，１１ａ，１１ｂと竪枠１８の係合部２１ａ，２１ｂの室外側面と室内側面に当接することで、内外障子２，３と枠１の間をシールしている。
【００１０】
外障子２の召し合せ框４ａは、図１１に示すように、外周側に開放した溝部３３を有し、溝部３３の開放端側に形成された鉤状の係合片３４に係合して、カバー材３５ａが外周側面と室内側面とに跨って取付けてある。内障子３の召し合せ框４ｂも、外周側に開放した溝部３３を有し、溝部３３の開放端側に形成された鉤状の係合片３４に係合して、カバー材３５ｂが外周側面と室外側面とに跨って取付けてある。各カバー材３５ａ，３５ｂには、室内外方向に突出するヒレ片５２ａ，５２ｂを有しており、ヒレ片５２ａ，５２ｂが対向する他方の框に当接することで、内外障子の召し合せ框４ａ，４ｂの間をシールしている。
【００１１】
内外障子２，３の召し合せ框４ａ，４ｂの上端部と下端部には、樹脂製の気密部材５ａ，５ｂが取付けてある。図１〜４は、外障子２の召し合せ框４ａの上端部に取付けられる気密部材５ａを示しており、この気密部材５ａは、召し合せ框４ａ及び上框６ａの内部に収容される断面Ｕ字状のレール摺接部３６と、召し合せ框４ａの外周側面に当接する外周当接部３７と、上框６ａの外周側縁部に当接するように室外側と室内側とに分割して形成された横壁１３ａ，１３ｂと、上下にスライド可能に組み込まれた外れ防止部材３８とを有している。
レール摺接部３６は、図２に示すように、上枠１６のレール１０ａの室外側面と室内側面に摺接し、外障子２の室内外方向の振れを防止するものであり、レール摺接部３６の内面にはレール１０ａの下面に当接するヒレ片３９が下方より立ち上げて設けてある。レール摺接部３６の縦壁１２ａ，１２ｂは、図１に示すように、上框６ａの内部にのびており、縦壁１２ａ，１２ｂと横壁１３ａ，１３ｂとの間には隙間１４が形成されている。図２に示すように、縦壁１２ａ，１２ｂの外側面には係合用の突起４０が形成されており、この突起４０を上框６ａのタイト材ホルダー８の下に係合することで、気密部材５ａを外れ止めしている。
上框６ａのタイト材９は、図１，２と図３（ａ）に示すように、ヒレ片９ａを気密部材５ａの横壁１３ａ，１３ｂと縦壁１２ａ，１２ｂとの間の隙間１４に差し入れ、タイト材９の端部を横壁１３ａ，１３ｂの下に潜り込ませている。
外れ防止部材３８は、外障子２を上枠１６と下枠１７のレール１０ａ，１１ａ間に建て込む際には下方にスライドしておき、外障子２をレール１０ａ，１０ｂ間に建て込んだ後に、図１に示すように、レール１０ａの下面に近接するように上方にスライドしてネジ４１で固定され、外障子２が浮き上がってレール間から脱落するのを規制する。
内障子３の召し合せ框４ｂの上端部にも、これと同様の気密部材５ａが取付けてある。
【００１２】
以上に述べたように、召し合せ框４ａ上端部に取付けられる気密部材５ａに、上框６ａの外周側に位置する横壁１３ａ，１３ｂと、上框６ａの内部に位置する縦壁１２ａ，１２ｂを設け、横壁１３ａ，１３ｂと縦壁１２ａ，１２ｂとの隙間１４にヒレ片９ａを差し入れて、上框６ａのタイト材９の端部を横壁１３ａ，１３ｂの内周側に潜り込ませたことで、タイト材９の取付け時等にタイト材９がずれたり、タイト材９が縮んだりしても、タイト材９の端部と気密部材５ａとの間に隙間が生ずることがないので、気密性、水密性、断熱性、遮音性といった各種性能を向上できる。また図３（ａ）に示すように、タイト材９の端部が気密部材５ａの横壁１３ａ，１３ｂにより覆われるため、タイト材９の端部の損傷を防止できる。さらに、気密部材５ａの横壁１３ｂの水平な上面に風止め板２４のヒレ片２６が当接するため、内外障子２，３の召し合せ部の上方の気密性・水密性が向上する。
【００１３】
図５〜９は、外障子２の召し合せ框４ａの下端部に取付けられる気密部材５ｂを示している。この気密部材５ｂは、図７，８に示すように、召し合せ框４ａ及び下框７ａの内部に下方より挿入される挿入部４２ａ，４２ｂと、召し合せ框４ａの外周側面に当接する外周当接部４３と、下框７ａの外周側に位置するように室外側と室内側とに分割して形成された横壁１３ａ，１３ｂを有している。挿入部４２ａ，４２ｂの下部には、図６に示すように、下枠１７のレール１１ａの幅よりも広い間隔で一対の縦壁１２ａ，１２ｂが形成され、縦壁１２ａ，１２ｂと横壁１３ａ，１３ｂとの間には隙間１４が形成されている。また気密部材５ｂには、下枠１７のレール１１ａとの間をシールするヒレ片４４ａ，４４ｂを有すると共に、室内側面に内障子３の召し合せ框４ｂとの間をシールするヒレ片４４ｃを有している。この気密部材５ｂは、戸車２２の高さ調整に合わせて上下方向に高さ調整を行い、召し合せ框４ａに形成した上下方向の長孔４５に挿入したネジ４６で固定される。
下框７ａのタイト材９は、図５（ｂ）と図６，７に示すように、ヒレ片９ａを気密部材５ｂの横壁１３ａ，１３ｂと縦壁１２ａ，１２ｂとの隙間１４に差し入れて、タイト材９の端部を横壁１３ａ，１３ｂの内周側に潜り込ませている。
内障子３の召し合せ框４ｂの下端部にも、これと同様の気密部材５ｂが取付けてある。
【００１４】
以上に述べたように、召し合せ框４ａ下端部に取付けられる気密部材５ｂにも、下框７ａの外周側に位置する横壁１３ａ，１３ｂと、下框７ａの内部に位置する縦壁１２ａ，１２ｂを設け、横壁１３ａ，１３ｂと縦壁１２ａ，１２ｂとの隙間１４にヒレ片９ａを差し入れて、下框７ａのタイト材９の端部を横壁１３ａ，１３ｂの内周側に潜り込ませたことで、タイト材９の取付け時等にタイト材９がずれたり、タイト材９が縮んだりしても、タイト材９の端部と気密部材５ｂとの間に隙間が生ずることがなく、気密性や水密性等を向上できる。また、タイト材９の端部が気密部材５ｂの横壁１３ａ，１３ｂにより覆われるため、タイト材９の端部の損傷を防止できる。さらに、気密部材５ｂの横壁１３ｂの水平な下面に止水部材２７のヒレ片２９ａ，２９ｂが当接するため、内外障子２，３の下方の気密性・水密性が向上する。なお、室外側の横壁１３ａは、無くすことができる。
【００１５】
これまで樹脂サッシについて説明したが、枠１と障子２，３の框がアルミ製のサッシや、枠１と障子２，３の框がアルミと樹脂の複合構造よりなるサッシにも本発明を適用することができる。
図１２は、枠１と障子２，３の框がアルミ製の場合の、召し合せ框４ｂ上端部に取付けられる気密部材５ａの一例を示している。上框６ｂと召し合せ框４ｂとの接合は、上框６ｂの端部を召し合せ框４ｂの内周側の溝４７内に呑み込ませ、上框６ｂの端面を召し合せ框４ｂの内周壁４８に突き当て、召し合せ框４ｂに外周側から挿入したビス４９を上框６ｂのタッピングホール５０に捩じ込んで接合している。
気密部材５ａは、召し合せ框４ｂの外周側面に当接する外周当接部３７と、召し合せ框４ｂ及び上框６ｂの内部に位置する縦壁１２ａ，１２ｂと、上框６ｂの外周側に位置する横壁１３ａ，１３ｂとを有しており、縦壁１２ａ，１２ｂと横壁１３ａ，１３ｂとの間には隙間１４が形成されている。
上框６ｂは、室外側の壁の上端部にタイト材ホルダー８を設け、タイト材ホルダー８に上枠１６のレール１０ｂに当接するタイト材９が保持してあり、タイト材９はヒレ片９ａを気密部材５ａの縦壁１２ａと横壁１３ａとの間の隙間１４に差し入れて、タイト材９の端部を横壁１３ａの内周側に潜り込ませている。そのため、タイト材９の位置がずれたりタイト材９が縮んだりしても、タイト材９の端部と気密部材５ａとの間に隙間が開かず、気密性や水密性等が向上する。
【００１６】
図１３は、枠１と障子２，３の框がアルミ製の場合の、召し合せ框４ｂ上端部に取付けられる気密部材５ａの他の例を示している。この例では、気密部材５ａにタイト材ホルダー部５１を形成し、タイト材９の端部を召し合せ框４ｂの内周壁４８を越えてさらに外周側までのばしている。タイト材９の端部を気密部材５ａの横壁１３ａの内周側に潜り込ませている点は先の実施形態と同様であり、これによりタイト材９の端部と気密部材５ａとの間に隙間が開かず、気密性や水密性等が向上する。
【００１７】
本発明は以上に述べた実施形態に限定されない。枠１や障子２，３の框の材質や断面形状、気密部材５ａ，５ｂの材質や細かい形状は、適宜変更することができる。横框のタイト材９は、ゴム質のものに限らず、モヘヤ状のものであってもよい。障子は一枚や三枚以上であってもよく、また、外障子２と内障子３のどちらか一方を枠１に固定した片引きサッシとすることもできる。また、障子が竪枠に沿って摺動するサッシにも適用することができ、その場合には引違いサッシの場合とは縦横の関係が入れ替わる。
【符号の説明】
【００１８】
１  枠
２  外障子（障子）
３  内障子（障子）
４ａ，４ｂ  召し合せ框  
５ａ，５ｂ  気密部材  
６ａ，６ｂ  上框（横框）  
７ａ，７ｂ  下框（横框）  
８  タイト材ホルダー
９  タイト材
９ａ  ヒレ片
１０ａ，１０ｂ  上枠のレール
１１ａ，１１ｂ  下枠のレール
１２ａ，１２ｂ  縦壁
１３ａ，１３ｂ  横壁
１４  縦壁と横壁との隙間
【図１】
0005778546.tif 000002
【図２】
0005778546.tif 000003
【図３】
0005778546.tif 000004
【図４】
0005778546.tif 000005
【図５】
0005778546.tif 000006
【図６】
0005778546.tif 000007
【図７】
0005778546.tif 000008
【図８】
0005778546.tif 000009
【図９】
0005778546.tif 000010
【図１０】
0005778546.tif 000011
【図１１】
0005778546.tif 000012
【図１２】
0005778546.tif 000013
【図１３】
0005778546.tif 000014
【図１４】
0005778546.tif 000015